(57)【要約】      （修正有）【課題】耐震性を強化するとともに、電子製品の外観を損傷から保護することができるスライド式電子製品保護装置を提供する。【解決手段】スライド式電子製品保護装置は、電子製品の外部を覆うことができる。前記電子製品は、第一部分と、前記第一部分に連結される第二部分とからなる。また、保護装置は、上蓋１と、下蓋２と、少なくとも一つの固定部材４と、少なくとも一つのスライド溝部材５と、からなる。その内の固定部材４は、上蓋内側１１或いは下蓋内側２１の内の一つに設けられ、電子製品の第一部分に固定される。スライド溝部材５は、上蓋内側或いは下蓋内側の内の固定部材を設けていない側に設けられ、電子製品の第二部分側辺にアクティブに結合される。【選択図】図２
0003177553.tif 000002
【実用新案登録請求の範囲】
【請求項１】
上蓋と、下蓋と、少なくとも一つの固定部材と、少なくとも一つのスライド溝部材と、からなる電子製品のスライド式電子製品保護装置であって、
前記電子製品は、第一部分と、前記第一部分に連結された第二部分とを備え、
前記上蓋は、上蓋内側を備え、
前記下蓋は、下蓋内側を備え、
前記少なくとも一つの固定部材は、前記上蓋内側及び前記下蓋内側の内の一つに設けられ、前記電子製品の前記第一部分に固定され、
前記少なくとも一つのスライド溝部材は、前記上蓋内側及び前記下蓋内側の内の固定部材を設けていない側に設けられ、それにより、前記電子製品の前記第二部分を前記スライド溝部材内でスライドさせることができることを特徴とする、スライド式電子製品保護装置。
【請求項２】
前記スライド式電子製品保護装置は、更に、連結部を備え、前記連結部は、前記上蓋及び前記下蓋に連結され、それにより、前記上蓋及び前記下蓋は折りたたむことができることを特徴とする、請求項１に記載のスライド式電子製品保護装置。
【請求項３】
前記上蓋、前記連結部及び前記下蓋は、上表皮及び下表皮を備え、前記上蓋は、更に、前記上表皮及び前記下表皮の間に設けられる第一内板を備え、前記下蓋は、前記上表皮及び前記下表皮の間に設けられる第二内板を備え、前記連結部は、前記上表皮及び前記下表皮の間に設けられる第三内板を備えることを特徴とする、請求項２に記載のスライド式電子製品保護装置。
【請求項４】
前記第一内板は、前記固定部材或いは前記スライド溝部材の内の一つと一体成型されることを特徴とする、請求項３に記載のスライド式電子製品保護装置。
【請求項５】
前記第二内板は、前記固定部材或いは前記スライド溝部材の内の一つと一体成型されることを特徴とする、請求項３に記載のスライド式電子製品保護装置。
【請求項６】
前記固定部材は、クリップ、マジックテープ（登録商標）、磁石、粘着テープの内の少なくとも一つであることを特徴とする、請求項１に記載のスライド式電子製品保護装置。
【請求項７】
前記固定部材は、複数の固定ユニットを備え、前記固定ユニットは、前記上蓋内側或いは前記下蓋内側の内の一つに平行に設けられることを特徴とする、請求項１に記載のスライド式電子製品保護装置。
【請求項８】
前記スライド溝部材は、複数のスライド溝ユニットを備え、前記スライド溝ユニットは、前記上蓋内側或いは前記下蓋内側の内の前記固定部材を設けていない側に平行に設けられることを特徴とする、請求項１に記載のスライド式電子製品保護装置。
【請求項９】
前記スライド溝部材は、第一端及び第二端を備え、前記第一端の高さは、前記第二端の高さより高いことを特徴とする、請求項１に記載のスライド式電子製品保護装置。
【請求項１０】
前記スライド式電子製品保護装置は、更に、バッフルボードを備え、前記バッフルボードは、前記スライド溝部材の端部付近に設けられ、それにより、前記電子製品の第二部分のスライド範囲を限定することができることを特徴とする、請求項１に記載のスライド式電子製品保護装置。
【考案の詳細な説明】
【技術分野】
【０００１】
本考案はスライド式電子製品保護装置に関し、特に上蓋或いは下蓋の内の一つの内側に設けたスライド溝部材を、電子製品の第二部分側辺にアクティブに結合することで、電子製品を閉じた或いは展開させた時に、上蓋と下蓋が携帯式電子製品の外部を平らに覆った状態にすることができるため、電子製品の耐震性と保護性能を強化することができ、それと同時に、電子製品が、保護装置の隆起して障害になる影響でその外観が損傷するのを防ぐことができるスライド式電子製品保護装置に関する。
【背景技術】
【０００２】
従来の開閉式電子製品保護皮カバーは、電子製品を完全に覆って保護し、電子製品の耐震性と防護性を強化することができるものの、従来の保護皮カバーは、電子製品をまず閉じた後、保護皮カバー内に収容しなければならない。また、電子製品を保護皮カバー内から取り出さないと、電子製品を開いて操作を行うことができないため、使用者が使用する上でかなり不便であり、しかも、電子製品を保護皮カバー内から取り出した後、保護皮カバーは電子製品から分離するため、保護皮カバーを失くしてしまいやすいという問題が生じる。
【０００３】
従って、あるメーカーが、開閉式電子製品を覆うことができる外から被せるタイプの保護構造を開発した。この外から被せるタイプの保護構造は、主に、片体（例えば、プラスチック、吸震ウレタンフォーム等の材質）の四つの隅に、結合部材を設け、開閉式電子製品の第一機体（上ケース）及び第二機体（下ケース）の隅に結合させることで、保護構造の片体を開式電子製品の外部に覆わせることができる。しかしながら、この従来の外から被せるタイプの保護構造は、四つの隅の領域が、それぞれ、第一機体及び第二機体に固定されるため、開閉式電子製品を展開させた時、外から被せるタイプの保護構造は、第一機体と第二機体を折り曲げる箇所が、隆起して障害になるという問題が生じ、また、第一機体と第二機体の展開の角度が大きくなるにつれ、外から被せるタイプの保護構造が隆起して障害になる状況は深刻になる。従って、長時間使用すると、外から被せるタイプの保護構造が隆起した領域は、破損してしまうだけでなく、電子製品を置いて使用する時にいろいろな問題が生じる。
【考案の概要】
【考案が解決しようとする課題】
【０００４】
そこで、本考案は、耐震性を強化するとともに、電子製品の外観を損傷から保護することができるスライド式電子製品保護装置を提供することを目的とする。
【課題を解決するための手段】
【０００５】
本考案によるスライド式電子製品保護装置は、電子製品の外部を覆うことができる。前記電子製品は、第一部分と、前記第一部分に連結される第二部分とからなる。また、保護装置は、上蓋と、下蓋と、少なくとも一つの固定部材と、少なくとも一つのスライド溝部材と、からなる。その内の固定部材は、上蓋内側或いは下蓋内側の内の一つに設けられ、電子製品の第一部分に固定される。スライド溝部材は、上蓋内側或いは下蓋内側の内の固定部材を設けていない側に設けられ、電子製品の第二部分側辺にアクティブに結合される。
【考案の効果】
【０００６】
以上の構造により、電子製品を閉じた状態の時、電子製品の第一部分と第二部分が、上蓋及び下蓋に完全に覆われ、それにより、電子製品の外部を保護することができる。また、電子製品を開いた状態の時、電子製品の第二部分を、スライド溝部材内でスライドさせることができ、上蓋と下蓋が電子製品の外部をずっと平らに覆った状態にすることができ、隆起して障害になることがない。
【図面の簡単な説明】
【０００７】
【図１】本考案の保護装置の展開図である。
【図２】本考案の保護装置の分解図である。
【図３】本考案の保護装置の使用実施例１である。
【図４】本考案の保護装置の使用実施例２である。
【考案を実施するための形態】
【０００８】
図１、図２に示すように、本考案によるスライド式電子製品保護装置は、電子製品の外部を覆うことができる。前記電子製品は、第一部分と、前記第一部分に連結される第二部分を備える。前記保護装置は、上蓋１と、下蓋２と、連結部３と、少なくとも一つの固定部材４と、少なくとも一つのスライド溝部材５とからなる。
【０００９】
上蓋１は、上蓋内側１１を備える。下蓋２は、下蓋内側２１を備える。
【００１０】
固定部材４は、上蓋内側１１、或いは、下蓋内側２１の内の一つに設けられる。固定部材４は、前記電子製品の第一部分に固定するのに用いられる。また、固定部材４は、複数の固定ユニットを備える。前記固定ユニットは、上蓋内側１１、或いは、下蓋内側２１の内の一つに平行に設けられる。固定部材４は、クリップ、マジックテープ（登録商標）、磁石、或いは、粘着テープの内の少なくとも一つである。
【００１１】
スライド溝部材５は、上蓋内側１１、或いは、下蓋内側２１の内の固定部材を設けていない側に設けられる。即ち、スライド溝部材５と固定部材４は、それぞれ、上蓋内側１１及び下蓋内側２１の異なる位置に設けられる。例えば、スライド溝部材５が上蓋内側１１に設けられた時、固定部材４は、下蓋内側２１に設けられ、スライド溝部材５が下蓋内側２１に設けられた時、固定部材４は上蓋内側１１に設けられる。また、スライド溝部材５は、電子製品の第二部分の側辺にアクティブに結合することにより、電子製品の第二部分の側辺をスライド溝部材５内でスライドさせることができる。また、スライド溝部材５は、複数のスライド溝ユニットを備える。前記スライド溝ユニットは、上蓋内側１１或いは下蓋内側２１の固定部材を設けていない側に平行に設けられる。なお、スライド溝部材５の両端の位置には、それぞれ、第一端５１及び第二端５２が設けられ、第一端５１の高さは、第二端５２の高さより高い。
【００１２】
本考案の保護装置は、更に、連結部３を備える。連結部３は、上蓋１と下蓋２にそれぞれ連結される。連結部３は可撓性を備える材質からなり、上蓋１と下蓋２は、折りたたんで合わせることができる。また、上蓋１、連結部３及び下蓋２は、上表皮６と下表皮７を備え、上蓋１は、上表皮６及び下表皮７の間に設けられる第一内板１２を更に備え、下蓋２は、上表皮６及び下表皮７の間に設けられる第二内板２２を更に備え、連結部３は、上表皮６及び下表皮７の間に設けられる第三内板３１を更に備える。また、第一内板１２は、固定部材４或いはスライド溝部材５の内の一つと、結合されるか、一体成型され、第二内板２２は、固定部材４或いはスライド溝部材５の内の一つと、結合されるか、一体成型される。
【００１３】
また、本考案の保護装置は、更に、バッフルボード８を備え、バッフルボード８は、スライド溝部材５の端部付近に設けられ、それにより、電子製品の第二部分のスライド範囲を限定することができる。
【００１４】
図３と図４を参照する。本考案の実施例では、固定部材４を電子製品の第一部分に固定し、スライド溝部材５を電子製品の第二部分の側辺にアクティブに結合することで、上蓋１と下蓋２が電子製品の第一部分及び第二部分外部に結合され、電子製品の耐震性を強化することができるとともに、電子製品の外観が損傷することがなくなる。そして、電子製品を閉じた状態の時に、電子製品の第一部分と第二部分は、上蓋１及び下蓋２に完全に覆われるため、電子製品の外部が保護される。また、電子製品を展開させた時は、電子製品の第二部分を、スライド溝部材５内でスライドさせることができるため、上蓋１と下蓋２が、携帯式の電子製品の外部をずっと平らに覆った状態にすることができ、隆起して障害になるという問題が生じない。
【００１５】
上述したことをまとめると、本考案の技術特徴は、上蓋１或いは下蓋２の一方に設けられた固定部材４を電子製品の第一部分に固定し、上蓋１或いは下蓋２の他方に設けられたスライド溝部材５を電子製品の第二部分の側辺にアクティブに結合することで、電子製品を閉じる、或いは、展開させた時、上蓋と下蓋が電子製品の外部をずっと覆った状態にすることができるため、電子製品の耐震度を強化することができる。それと同時に、電子製品の外観が損傷するのを防ぐことができる。
【符号の説明】
【００１６】
１      上蓋              
１１    上蓋内側
１２    第一内板        
２      下蓋
２１    下蓋内側        
２２    第二内板
３      連結部            
３１    第三内板
４      固定部材          
５      スライド溝部材
５１    第一端          
５２    第二端
６      上表皮            
７      下表皮
８      バッフルボード
【図１】
0003177553.tif 000003
【図２】
0003177553.tif 000004
【図３】
0003177553.tif 000005
【図４】
0003177553.tif 000006